(57)【要約】【課題】有機ＥＬ素子を光源とする照明器具を薄型化及び狭額縁化する。【解決手段】照明器具１は、有機ＥＬ素子を光源とする発光パネル２と、発光パネル２に駆動電圧を供給する点灯装置３と、点灯装置３を収納する収納部４と、を備える。発光パネル２は、その下辺Ｓ１を介して収納部４に取り付けられる。点灯装置３及び収納部４は、下辺Ｓ１と平行に伸びる長尺形状とされる。点灯装置３の長手方向長さＬ２は、下辺Ｓ１の長さＬ１よりも長く構成されている。このようにすることで、従来の点灯装置と比較して点灯装置３の表面積や点灯装置３に搭載可能な回路部品３２の数を減らすことなく、収納部４の奥行きＤを短くすると共に収納部４の高さＨを低くして、照明器具１を薄型化及び狭額縁化することができる。【選択図】図１
2013109973.tif 000002
【特許請求の範囲】
【請求項１】
有機ＥＬ素子を光源とする平板状の発光パネルと、この発光パネルに駆動電圧を供給する点灯装置と、この点灯装置を収納する収納部と、を備えた照明器具であって、
前記発光パネルは、その外周線の一辺が前記収納部に取り付けられた状態で前記点灯装置と電気的に接続され、
前記点灯装置及び収納部は、前記発光パネルの一辺と平行に伸びる長尺形状とされ、
前記点灯装置の長手方向長さの合計は、前記発光パネルの前記収納部に取り付けられている一辺の長さよりも長く、
前記発光パネルは、前記収納部の長手方向の一方側に偏って配置されていることを特徴とする照明器具。
【請求項２】
前記点灯装置は平板形状の回路基板を備え、該回路基板はその一面に回路部品が載置される部品載置面を有し、他面に回路グランドが配線されるグランド面を有し、このグランド面が前記発光パネルの発光面に直交した状態で該発光パネルに相対していることを特徴とする請求項１に記載の照明器具。
【請求項３】
前記点灯装置は複数に分割され、分割された点灯装置の各々は配電線により互いに電気的に接続されていることを特徴とする請求項１又は請求項２に記載の照明器具。
【請求項４】
前記点灯装置の長手方向長さの合計は、前記発光パネルの前記収納部に取り付けられている辺の長さの２倍となっていることを特徴とする請求項１乃至請求項３のいずれか一項に記載の照明器具。
【請求項５】
前記収納部は、前記発光パネルが取り付けられていない部分を屈曲可能とする可動部を有することを特徴とする請求項１乃至請求項４のいずれか一項に記載の照明器具。
【請求項６】
請求項１乃至請求項５のいずれか一項に記載の照明器具を備えたことを特徴とする照明システム。
【発明の詳細な説明】
【技術分野】
【０００１】
本発明は、有機ＥＬ素子を光源とする照明器具及びそれを用いた照明システムに関する。
【背景技術】
【０００２】
有機ＥＬ素子は、低電圧で高輝度の発光が可能であり、含有する有機化合物の種類によって様々な発光色が得られ、また、平板状の発光パネルとしての製造が容易であるので、近年、照明器具の光源として用いることが注目されている。
【０００３】
図１６に示すように、この種の照明器具１０１は、発光パネル１０２と、発光パネル１０２の発光面１０２ａに対して側方に配置される点灯装置１０３と、点灯装置１０３を収納する収納部１０４と、を備える（例えば、特許文献１参照）。点灯装置１０３は、配電線１０５により発光パネル１０２と電気的に接続され、発光パネル１０２に駆動電圧を供給する。発光パネル１０２は、その発光面１０２ａが収納部１０４の発光面１０２ａ側の面１０４ａと略面一となるように、収納部１０４の背面１０４ｂから一定の距離を置いて収納部１０４の支持部１０４ｃにより支持されている。
【先行技術文献】
【特許文献】
【０００４】
【特許文献１】特開２００７−１４９４６５号公報
【発明の概要】
【発明が解決しようとする課題】
【０００５】
しかしながら、上述したような照明器具１０１では、点灯装置１０３が発光パネル１０２よりも分厚いので、照明器具１０１を薄型化することができない。また、照明器具１０１をその発光面１０２ａ側から見たときに、発光パネル１０２の点灯装置１０３が配置されている側の縁が大きくなってしまう。
【０００６】
本発明は、上記課題を解決するものであって、有機ＥＬ素子を光源とする発光パネルを有する照明器具において、薄型化及び発光パネルの縁を狭くすること（狭額縁化）が可能な照明器具を提供することを目的とする。
【課題を解決するための手段】
【０００７】
本発明の照明器具は、有機ＥＬ素子を光源とする平板状の発光パネルと、この発光パネルに駆動電圧を供給する点灯装置と、この点灯装置を収納する収納部と、を備え、前記発光パネルは、その外周線の一辺が前記収納部に取り付けられた状態で前記点灯装置と電気的に接続され、前記点灯装置及び収納部は、前記発光パネルの一辺と平行に伸びる長尺形状とされ、前記点灯装置の長手方向長さの合計は、前記発光パネルの前記収納部に取り付けられている一辺の長さよりも長く、前記発光パネルは、前記収納部の長手方向の一方側に偏って配置されていることを特徴とする。
【０００８】
前記点灯装置は平板形状の回路基板を備え、該回路基板はその一面に回路部品が載置される部品載置面を有し、他面に回路グランドが配線されるグランド面を有し、このグランド面が前記発光パネルの発光面に直交した状態で該発光パネルに相対していることが好ましい。
【０００９】
前記点灯装置は複数に分割され、分割された点灯装置の各々は配電線により互いに電気的に接続されていることが好ましい。
【００１０】
前記点灯装置の長手方向長さの合計は、前記発光パネルの前記収納部に取り付けられている辺の長さの２倍となっていることが好ましい。
【００１１】
前記収納部は、前記発光パネルが取り付けられていない部分を屈曲可能とする可動部を有することが好ましい。
【００１２】
本発明の照明システムは、上記照明器具を備えることを特徴とする。
【発明の効果】
【００１３】
本発明によれば、発光パネルが収納部に取り付けられ、かつ収納部及び点灯装置が発光パネルの一辺と平行な方向に伸びる長尺形状とされる。そのため、従来の点灯装置と比較して点灯装置の表面積や点灯装置に搭載可能な回路部品数を減らすことなく、収納部及び点灯装置の前記方向に直交する方向の長さ（厚み）を小さくすることができる。これにより、照明器具を薄型化及び狭額縁化することができる。また、発光パネルが収納部の長手方向の一方側に偏って配置されているので、複数の照明器具を各々の収納部を介して連結した場合に、それぞれの発光パネルを互いに近接させて大きな発光面を形成することができる。
【図面の簡単な説明】
【００１４】
【図１】本発明の実施形態に係る照明器具の分解斜視図。
【図２】他の実施形態に係る照明器具の分解斜視図。
【図３】上記照明器具を２つ組み合わせる場合の構成を示す斜視図。
【図４】更に他の実施形態に係る照明器具の分解斜視図。
【図５】（ａ）乃至（ｃ）は、それぞれ上記照明器具を複数組み合わせた場合を示す平面図。
【図６】上記の第１の変形例に係る照明器具の分解斜視図。
【図７】（ａ）（ｂ）は、それぞれ第２の変形例に係る照明器具の平面図。
【図８】更に他の実施形態に係る照明器具の分解斜視図。
【図９】上記の変形例に係る照明器具の分解斜視図。
【図１０】更に他の実施形態に係る照明器具の斜視図。
【図１１】更に他の実施形態に係る照明器具の分解斜視図。
【図１２】（ａ）（ｂ）は、それぞれ更に他の実施形態に係る照明器具の構成を示す平面図。
【図１３】更に他の実施形態に係る照明器具の斜視図。
【図１４】上記の変形例に係る照明器具の斜視図。
【図１５】上記実施形態に係る照明器具を用いた照明システムの分解斜視図。
【図１６】従来の照明器具の側断面図。
【発明を実施するための形態】
【００１５】
本発明の実施形態に係る照明器具について、図１を参照して説明する。照明器具１は、平板状の発光パネル２と、発光パネル２に駆動電圧を供給する点灯装置３と、点灯装置３を収納する収納部４と、を備える。発光パネル２は、その発光面２Ａの外周線に４つの辺を有する矩形状とされ、その下辺Ｓ１の長さをＬ１とする。なお、発光パネル２は、少なくともその一辺が直線辺であればよい。点灯装置３は、長尺かつ平板形状の回路基板３１を備え、回路基板３１の長手方向長さをＬ２とする。Ｌ２は、Ｌ１よりも長く構成されている。回路基板３１は、その一面に発光パネル２の点灯、調光及び消灯を制御する回路部品３２が載置された部品載置面３Ａを有し、他面に回路グランドが配線されたグランド面３Ｂを有する。点灯装置３は、回路基板３１の部品載置面３Ａが発光パネル２の発光面２Ａに直交した状態で収納部４に収納されている。収納部４は、長尺な箱型形状とされ、その長手方向長さ（幅）をＷとする。収納部４は、その一面に長手方向に沿って伸びる溝４１を有する。溝４１は、その長手方向長さがＬ１とほぼ同じとされ、収納部４の長手方向の一方側に偏って配置されている。発光パネル２は、その下辺Ｓ１に相当する部分が溝４１に嵌め込まれることで収納部４に取り付けられると共に、点灯装置３と電気的に接続される。これにより、点灯装置３及び収納部４は、発光パネル２の下辺Ｓ１と平行に伸びることになる。
【００１６】
発光パネル２は、一般的な有機ＥＬ発光パネルにより構成される。有機ＥＬ発光パネルは、発光面２Ａ側から順に透光性基板と、有機ＥＬ素子を光源とする発光部と、発光部を封止する封止缶と、を有する。発光部は、透光性基板側から順に、透明導電膜から成る正電極と、発光性有機材料を含む発光層と、光反射性を持つ負電極と、を有する。これら正電極及び負電極は、共に点灯装置３と電気的に接続される。なお、発光パネル２と点灯装置３との電気的接続は、発光パネル２に設けた入力端子を収納部４に設けたコネクタに差し込み、このコネクタと点灯装置３とを電気的に接続することで成されてもよい。封止缶は、例えば、ガラス、金属、セラミック、又はプラスチックにより構成され、発光部を外気、特に水分及び酸素から隔離して発光部の劣化を防ぐ。
【００１７】
点灯装置３の回路基板３１は、ガラス繊維布にエポキシ樹脂等を含侵させることで硬化させたガラス繊維板、例えば、ＦＲ−４等の難燃性と低導電率とを両立した基材により構成される。点灯装置３は、電源コード３３を介して外部の交流電源に接続されている。点灯装置３は、ＡＣ／ＤＣコンバータを有し、この交流電源から得た交流電流を直流電流に変換してから発光パネル２に供給する。
【００１８】
収納部４は、所定の剛性を有する材料、例えば、ＡＢＳ樹脂、アクリル樹脂、ポリスチレン樹脂等のプラスチック材料や、表面に絶縁処理が施されたアルミニウム等の金属材料により構成される。
【００１９】
本実施形態の照明器具１によれば、発光パネル２が収納部４に取り付けられ、かつ収納部４及び点灯装置３が発光パネル２の下辺Ｓ１と平行な方向に伸びる長尺形状とされる。そのため、従来の点灯装置と比較して点灯装置３の表面積や点灯装置３に搭載可能な回路部品３２の数を減らすことなく、収納部４の奥行きＤを短くして、照明器具１を薄型化することができる。また、回路基板３１が平板形状とされ、かつその部品載置面３Ａが発光パネル２の発光面２Ａに直交した状態で収納部４に収納されているので、収納部４の高さＨを低くすることができる。これにより、照明器具１の縁を狭くして、照明器具１を狭額縁化することができる。このように、点灯装置３を長尺かつ平板形状とすることで、将来的に発光パネル２の高出力化が進んで点灯装置３が大きくなったとしても、照明器具１を薄型化及び狭額縁化することができる。また、発光パネル２が収納部４の長手方向の一方側に偏って配置されているので、複数の照明器具１を各々の収納部４を介して連結した場合に、それぞれの発光パネル２を互いに近接させて大きな発光面２Ａを形成することができる（後述する図５（ａ）（ｂ）参照）。
【００２０】
次に、本発明の他の実施形態に係る照明器具について図２及び図３を参照して説明する。図２に示すように、本実施形態においては、図１に示す照明器具１に比べて、点灯装置３がより長く構成されている。点灯装置３の長手方向長さＬ２は、発光パネル２の下辺Ｓ１の長さＬ１の略２倍とされる。また、収納部４には、発光パネル２が嵌め込まれる溝４１に加えて、空の溝４２が設けられている。空の溝４２は、溝４１と同じ大きさとされ、溝４１に隣接して収納部４の長手方向に沿って配置される。収納部４の長手方向一端部から溝４１までの距離ｄ１は、収納部４の長手方向他端部から溝４２までの距離ｄ２と等しい。図３に示すように、このような構造を有する２つの照明器具１は、それぞれの発光パネル２の溝４１に嵌め込まれている側とは反対側の端部を他方の照明器具１の空の溝４２に嵌め込むことで互いに連結される。
【００２１】
本実施形態によれば、点灯装置３の長手方向長さＬ２がＬ１の略２倍とされているので、図１に示す照明器具１に比べて、更に収納部４の奥行きＤを短くして、より照明器具１を薄型化することができる。また、照明器具１を２つ組み合わせることで、互いに隣接した２つの発光パネル２から成る大きな発光面２Ａを有する照明器具を得ることができる。このような照明器具１では、各々の収納部４の長手方向に沿って２つの発光パネル２が隣接して配置されているので、収納部４の長手方向長さの余剰分を感じ難くなる。また、発光パネル２が複数ある場合であっても、図１に示す照明器具１と同様に、照明器具１を薄型化及び狭額縁化することができる。更に、１つの点灯装置３で２つの発光パネル２に駆動電圧を供給できるようにしておけば、一方の点灯装置３が故障したとしても、他方の点灯装置３をバックアップとして用いることができる。但し、この場合は、１つの点灯装置３が１つの発光パネル２に駆動電圧を供給する場合に比べて、各々の発光パネル２に供給する電力を半分又は半分以下にする必要がある。
【００２２】
次に、本発明の更に他の実施形態に係る照明器具について図４及び図５を参照して説明する。図４に示すように、本実施形態においては、点灯装置３が点灯装置３ａ、３ｂの２つに分割されている。これら点灯装置３ａ、３ｂは、フレキシブルフラットケーブルやビニール被覆線等の可撓性を有する配電線５により互いに電気的に接続される。点灯装置３ａは、発光パネル２の下辺Ｓ１と平行に配置される。点灯装置３ｂは、下辺Ｓ１と直交する辺Ｓ２と平行に配置される。すなわち、点灯装置３ａ、３ｂは、互いに直交している。点灯装置３ａの長手方向長さＬ２ａ及び点灯装置３ｂの長手方向長さＬ２ｂは、共にＬ１よりも短いが、Ｌ２ａとＬ２ｂとの合計長さはＬ１よりも長く構成されている。収納部４は、点灯装置３ａを収納する部分と、点灯装置３ｂを収納する部分と、により構成されるＬ字型形状とされる。収納部４は、点灯装置３ａを収納する部分の発光パネル２と相対する面４Ａに溝４１を有する。溝４１は、面４Ａにおいて収納部４の長手方向端部４Ｂの方に偏って設けられる。そのため、発光パネル２は、収納部４の端部４Ｂ側に偏って配置される。
【００２３】
本実施形態によれば、点灯装置３の長手方向長さの合計Ｌ２ａ＋Ｌ２ｂがＬ１よりも長く構成されているので、図１に示す照明器具１と同様に、照明器具１を薄型化及び狭額縁化することができる。また、点灯装置３が可撓性を有する配電線５により互いに接続されているので、照明器具１の組み立てがやり易くなると共に、点灯装置３のデザイン自由度が高くなる。これにより、例えば、本実施形態のように点灯装置３及び収納部４をＬ字型形状として、発光パネル２と一体化したデザインとすることができる。更に、点灯装置３が複数に分割されているので、点灯装置３が分割されていない場合に比べて、点灯装置３の表面積が増大して点灯装置３の放熱効果が高まる。
【００２４】
図５（ａ）乃至（ｃ）に示すように、本実施形態においては、照明器具１を様々な配置パターンで収納部４を介して互いに連結することができる。この連結は、例えば、一方の収納部４に凹部を設け、他方の収納部４に凸部を設け、これら凹部と凸部とを嵌合させることで成される。また、２つの収納部４をネジ止めすることで互いに連結してもよい。図５（ａ）では、２つの照明器具１が、収納部４の端部４Ｂ同士を接合させた状態で互いに連結されている。このとき、各々の照明器具１において発光パネル２は端部４Ｂ側に偏って配置されているので、２つの発光パネル２は互いに近接して大きな発光面を形成する。図５（ｂ）では、図５（ａ）に示す照明器具が２つ組み合わされて、４つの発光パネル２から構成された発光面を有する照明器具が形成されている。図５（ｃ）では、３つの照明器具１が、各々の発光パネル２が互いに斜めに連なるように収納部４を介して連結されている。このように、収納部４がＬ字型形状とされていれば、収納部４同士を種々の配置パターンで互いに連結して、種々の形態の照明器具を得ることができる。このとき、各々の発光パネル２は、すべて同一方向に光を照射するように配置されてもよいし、互いに異なる方向に光を照射するように配置されてもよい。また、各々の照明器具１は、それぞれ別個に外部交流電源に接続されてもよいし、収納部４の連結部分を介して送り配線を行って一括に外部交流電源に接続されてもよい。
【００２５】
次に、本実施形態の第１の変形例に係る照明器具について図６を参照して説明する。本変形例においては、点灯装置３ａ、３ｂが互いに重ね合わされて、共に発光パネル２の下辺Ｓ１と平行に配置されている。点灯装置３ａ、３ｂの長手方向長さＬ２はＬ１よりも短いが、長手方向長さの合計Ｌ２＋Ｌ２はＬ１よりも長く構成されている。また、収納部４の幅Ｗは、Ｌ１よりも短く構成されている。
【００２６】
本変形例によれば、点灯装置３ａ、３ｂの長手方向長さの合計Ｌ２＋Ｌ２がＬ１よりも長く構成されているので、収納部４の奥行きＤを小さくして照明器具１を薄型化することができる。また、収納部４の幅ＷがＬ１よりも短く構成されているので、発光パネル２に対して収納部４が小さくなって収納部４が目立ち難い。なお、本変形例においては、点灯装置３は１回だけ折り返されて重ね合わされているが、２回以上折り返されて重ね合わされてもよい。これにより、更に収納部４の幅Ｗを小さくすることができ、照明器具１のデザイン自由度が高まる。
【００２７】
次に、本実施形態の第２の変形例に係る照明器具について図７（ａ）（ｂ）を参照して説明する。図７（ａ）に示す照明器具１では、点灯装置３ａは発光パネル２の下辺Ｓ１と平行に配置され、点灯装置３ｂは下辺Ｓ１と直交する辺Ｓ２と平行に配置されている。点灯装置３ａ、３ｂは、各々のグランド面３Ｂが発光パネル２に相対した状態で収納部４に収納されている。一方、図７（ｂ）に示す照明器具１では、点灯装置３ａ、３ｂは、互いに重ね合わされて、共に発光パネル２の下辺Ｓ１と平行に配置されている。発光パネル２に近い点灯装置３ａのグランド面３Ｂは、発光パネル２に相対している。発光パネル２から遠い点灯装置３ｂのグランド面３Ｂは、照明器具１の外側に相対している。
【００２８】
図７（ａ）に示す照明器具１によれば、点灯装置３の回路部品３２において発生したノイズが発光パネル２側に伝達され難くなるので、発光パネル２へのノイズの影響を低減して発光パネル２の動作を安定化することができる。この効果は、グランド配線の面積が大きいほど高く、かつ点灯装置３が発光パネル２から離れているほど高い。一方、図７（ｂ）に示す照明器具１によれば、点灯装置３ａから発光パネル２の方向へ発せられるノイズが低減されると共に、点灯装置３ｂから照明器具１の外部方向へ発せられるノイズも低減される。
【００２９】
次に、本発明の更に他の実施形態に係る照明器具について図８を参照して説明する。本実施形態においては、点灯装置３が平板形状、かつＬ字型形状となっている。点灯装置３は、発光パネル２の下辺Ｓ１に平行な部分（長手方向長さＬ２ａ）と、下辺Ｓ１に直交する辺Ｓ２に平行な部分（長手方向長さＬ２ｂ）と、を有する。長手方向長さＬ２ａ、Ｌ２ｂは、共にＬ１よりも短いが、長手方向長さの合計Ｌ２ａ＋Ｌ２ｂはＬ１よりも長く構成されている。点灯装置３は、その部品載置面３Ａが発光パネル２の発光面２Ａと平行になった状態で収納部４に収納される。部品載置面３Ａには、回路部品３２に加えて、照度センサ３４及びリモコン受光部３５が設けられる。収納部４の照度センサ３４及びリモコン受光部３５に対応する位置には、透光部４３が設けられる。
【００３０】
本実施形態によれば、点灯装置３の長手方向長さの合計Ｌ２ａ＋Ｌ２ｂがＬ１よりも長く構成されているので、収納部４の高さＨを低くして、照明器具１を狭額縁化することができる。また、点灯装置３が平板形状とされているので、収納部４の奥行きＤを短くして、照明器具１を薄型化することができる。また、１つの点灯装置３でＬ字型形状を形成しているので、図４に示す照明器具１のように２つに分割された点灯装置３ａ、３ｂでＬ字型形状を形成する場合に比べて、点灯装置３を構成する部材数をより少なくすることができる。また、発光パネル２の発光面２Ａと平行に配置された部品載置面３Ａに照度センサ３４が設けられているので、発光面２Ａの周辺照度を正確に検知して、その周辺照度に応じて照明器具１の照度を調節するフィードバック制御を適切に行うことができる。また、照明器具１が発光パネル２の発光面２Ａ側からリモコンで遠隔操作される場合には、リモコン受光部３５が発光面２Ａと平行に設けられているので、リモコンからの信号を効率良く受信することができる。
【００３１】
次に、本実施形態の変形例に係る照明器具について図９を参照して説明する。本変形例においては、図８に示す照明器具１に、更に別の点灯装置６と、点灯装置６を収納する収納部７と、が設けられている。点灯装置６は、点灯装置３に配電線５を介してバッテリ３６を接続したものである。バッテリ３６は、充電池により構成され、外部交流電源からの電力が利用可能な定常時には充電され、外部交流電源からの電力供給が途絶えた停電等の異常時には充電された電力を用いて点灯装置６に電力を供給する。バッテリ３６は、収納部７の内部に設置される。収納部７は、収納部４と同一のＬ字型形状とされ、発光パネル２の上辺Ｓ３及び側辺Ｓ４を覆うように配置される。収納部７は、発光パネル２の上辺Ｓ３に相対する面に溝７１を有し、この溝部７１には発光パネル２の上辺Ｓ３に相当する部分が嵌め込まれる。これにより、発光パネル２は、その四辺Ｓ１乃至Ｓ４が収納部４、７により覆われた状態となる。
【００３２】
本変形例によれば、外部交流電源からの電力供給が途絶えた停電等の異常時であっても、バッテリ３６に充電された電力を利用して発光パネル２を発光させることができる。このような照明器具１は、非常灯として有益に用いることができる。
【００３３】
次に、本発明の更に他の実施形態に係る照明器具について図１０を参照して説明する。本実施形態においては、発光パネル２が、その発光面２Ａ側から見たときに正六角形状とされる。点灯装置３は、配電線５により互いに接続された２つの点灯装置３ａ、３ｂにより構成される。点灯装置３ａは発光パネル２の下辺Ｓ１と平行に配置され、点灯装置３ｂは下辺Ｓ１に隣接する辺と平行に配置される。点灯装置３ａ、３ｂの長手方向長さＬ２は、Ｌ１よりも長く構成されている。
【００３４】
本実施形態によれば、点灯装置３ａ、３ｂの長手方向長さＬ２がＬ１よりも長く構成されているので、照明器具１を薄型化及び狭額縁化することができる。このように、発光パネル２が平面視矩形状以外の形状とされても、上記実施形態と同様に、照明器具１を薄型化及び狭額縁化することができる。
【００３５】
次に、本発明の更に他の実施形態に係る照明器具について図１１を参照して説明する。本実施形態においては、図１に示した照明器具１に、ＤＣ／ＤＣコンバータを有する平板形状の点灯装置８が付加される。点灯装置８は、発光パネル２の発光面２Ａとは反対側の面（背面）に取り付けられ、照度センサ８１及び温度センサ８２を有する。点灯装置３、８の長手方向長さは、それぞれＬ２ａ、Ｌ２ｂとされ、長手方向長さの合計Ｌ２ａ＋Ｌ２ｂはＬ１よりも長く構成されている。点灯装置８は、外部交流電源→点灯装置３→点灯装置８→発光パネル２の経路で電力が供給されるように、点灯装置３及び発光パネル２と電気的に接続されている。点灯装置３は外部から絶縁された回路を有し、点灯装置８は高周波スイッチングを利用した回路を有する。
【００３６】
本実施形態によれば、点灯装置８が平板形状とされているので、照明器具１の厚みを大幅に増大させることなく、点灯装置８（ＤＣ／ＤＣコンバータ）を発光パネル２の背面に配置することができる。また、発光パネル２の直近に配置された点灯装置８に照度センサ８１及び温度センサ８２が設けられているので、発光パネル２の照度や温度を正確に測定することができる。また、外部交流電源に接続された点灯装置３は絶縁され、かつ収納部４に隔離されているので、例えば、発光パネル２を交換する場合に、ユーザが点灯装置３に触れて感電する危険がない。点灯装置３、８による制御は、具体的には、例えば、点灯装置３により外部交流電源からの交流１００Ｖを直流電圧に変換すると共に数１０Ｖまで降圧し、次いで、点灯装置８により適切な駆動電圧へと変換することで成される。
【００３７】
次に、本発明の更に他の実施形態に係る照明器具について図１２（ａ）（ｂ）を参照して説明する。本実施形態においては、収納部４は、可動領域４ａと固定領域４ｂとに分割される。これら可動領域４ａ及び固定領域４ｂは、可動領域４ａが固定領域４ｂに対して屈曲可能となるように可動部４４を介して互いに連結されている。発光パネル２は、固定領域４ｂに取り付けられる。点灯装置３は、固定領域４ｂに収納される。図１２（ａ）では、可動領域４ａと固定領域４ｂとが一直線状に連なっている。この状態から、可動領域４ａを発光パネル２の方向に９０度回転させると、図１２（ｂ）に示すように、可動領域４ａと固定領域４ｂとが互いに直交したＬ字型形状の収納部４が得られる。
【００３８】
本実施形態によれば、収納部４に可動部４４が設けられているので、１つの収納部４が複数の形態をとることができる。これにより、部材数を増加させることなく複数の器具形態に対応することが可能となるので、ＭＴ（Manufacturing Technology）化に有利である。なお、可動部４４は、１つの収納部４に対して複数設けられてもよい。また、点灯装置３は、可動領域４ａに収納される点灯装置と、固定領域４ｂに収納される点灯装置と、により構成され、これら点灯装置が可撓性を有する配電線により互いに接続されていてもよい。
【００３９】
次に、本発明の更に他の実施形態に係る照明器具について図１３を参照して説明する。本実施形態においては、図１に示した２つの照明器具１が各々の収納部４の長手方向を一致させた状態で互いに隣接して配置され、互いに近接した収納部４の長手方向端部同士が連結部４５により連結されている。連結部４５は、円筒形状とされ、一方の照明器具１に対して他方の照明器具１が長手方向を軸に回転可能となるように両照明器具１を連結する。両照明器具１の収納部４は連結部４５を介して空間的に繋がっており、各々の点灯装置３は連結部４５を通って両点灯装置３を結ぶ配電線５により互いに電気的に接続される。
【００４０】
本実施形態によれば、各々の照明器具１が長手方向を軸に回転可能となっているので、照明器具１を回転させて任意の方向に光を照射することができる。なお、本変形例では、各々の照明器具１の点灯装置３が並列に接続されているが、各点灯装置３がそれぞれ独立に外部交流電源に接続されてもよい。
【００４１】
次に、本実施形態の変形例に係る照明器具について図１４を参照して説明する。本変形例においては、連結部４５がフレキシブルコネクタにより構成されている。本変形例によれば、照明器具１を任意の方向に配向させることができるので、照明器具１の光照射範囲を広くすることができる。
【００４２】
次に、上述の照明器具１を備えた照明システムについて図１５を参照して説明する。照明システム１１は、図３に示した２つの照明器具１と、照明器具１の発光面２Ａ側を覆う筐体９と、を備える。筐体９は、所定の剛性を有する材料、例えば、アルミニウム等の金属やポリエチレンテレフタラート（ＰＥＴ）等の樹脂により構成される。照明システム１１によれば、薄型化及び狭額縁化された照明器具１の特徴を生かして、薄くてスタイリッシュ、かつ発光面面積割合の高い平板状の照明システムを提供することができる。このような照明システム１１は、例えば、天井や壁面等、様々な場所に設置可能である。
【００４３】
なお、本発明の実施形態及びその変形例に係る照明器具及び照明システムは、上記のものに限定されず、種々の変形が可能である。例えば、点灯装置は、必ずしも平板形状である必要はなく、例えば、角柱形状とされてもよい。また、発光パネルの辺は、必ずしも直線辺である必要はなく、曲線辺であってもよい。また、点灯装置の形状は、Ｉ字型状やＬ字型形状に限定されず、例えば、Ｃ字型形状や発光パネルを取り囲む形状とされてもよい。更に、発光パネル２の形状は、平面視矩形状や六角形状に限定されず、例えば、平面視正八角形状や星形状であってもよい。
【符号の説明】
【００４４】
１  照明器具
１１  照明システム
２  発光パネル
２Ａ  発光面
３、３ａ、３ｂ  点灯装置
３１  回路基板
３２  回路部品
３Ａ  部品載置面
３Ｂ  グランド面
４  収納部
４４  可動部
５  配電線
Ｓ１  発光パネルの収納部に取り付けられている一辺
Ｓ２、Ｓ３、Ｓ４  発光パネルの一辺
Ｌ１  発光パネルの収納部に取り付けられている一辺の長さ
Ｌ２、Ｌ２ａ、Ｌ２ｂ  点灯装置の長手方向長さ
【図１】
2013109973.tif 000003
【図２】
2013109973.tif 000004
【図３】
2013109973.tif 000005
【図４】
2013109973.tif 000006
【図５】
2013109973.tif 000007
【図６】
2013109973.tif 000008
【図７】
2013109973.tif 000009
【図８】
2013109973.tif 000010
【図９】
2013109973.tif 000011
【図１０】
2013109973.tif 000012
【図１１】
2013109973.tif 000013
【図１２】
2013109973.tif 000014
【図１３】
2013109973.tif 000015
【図１４】
2013109973.tif 000016
【図１５】
2013109973.tif 000017
【図１６】
2013109973.tif 000018